(57)【要約】【課題】特定の意見に対する評価結果を課題に対する賛否毎に把握可能とする。【解決手段】  複数の生徒端末のそれぞれで入力された、課題に対する賛成又は反対の意思表示情報を受信し、課題に対する特定の意見について発表が行われ、課題に対する特定の意見についての評価要求を複数の生徒端末に送信し、複数の生徒端末から受信した、特定の意見について「理解できる」か「理解できない」かを選択した結果である評価結果を、意思表示情報が示す賛成又は反対の別に応じて分類し、分類した評価結果についての分類毎の統計処理結果として、理解された割合及び理解されなかった割合を分類毎に演算して出力する。【選択図】図１７
2015099197.tif 000002
【特許請求の範囲】
【請求項１】
複数の端末の各々で入力された、課題に対する賛成又は反対の意思表示情報を受信し、
前記課題に対する特定の意見についての評価要求を前記複数の端末の各々に送信し、
前記複数の端末の少なくとも１つから受信した評価結果を、前記意思表示情報が示す賛成又は反対の別に応じて分類し、
分類した評価結果又は分類した評価結果についての分類毎の統計処理結果を出力する
ことを含む評価方法。
【請求項２】
前記特定の意見は、前記複数の端末の何れかにおいて入力された意見情報に含まれる請求項１記載の評価方法。
【請求項３】
前記課題に対する特定の意見について発表が行われ、
前記特定の意見についての発表に対する評価要求を前記複数の端末の各々に送信し、
前記特定の意見についての発表に対する評価結果を前記複数の端末の少なくとも１つから受信する請求項１又は請求項２記載の評価方法。
【請求項４】
前記評価結果として、前記特定の意見について、理解できる、又は、理解できない、が選択され、
前記分類した評価結果についての分類毎の統計処理結果として、理解された割合及び理解されなかった割合を分類毎に演算して出力する請求項１〜請求項３の何れか１項記載の評価方法。
【請求項５】
前記評価結果又は前記統計処理結果として、前記意思表示情報が賛成を示す結果のみを出力するか、前記意志表示情報が反対を示す結果のみを出力するか、前記意思表示情報が賛成を示す結果と前記意思表示情報が反対を示す結果を各々出力するかが選択され、
前記選択の結果に応じて、前記意思表示情報が賛成を示す結果のみを出力するか、又は、前記意志表示情報が反対を示す結果のみを出力するか、又は、前記意思表示情報が賛成を示す結果と前記意思表示情報が反対を示す結果を各々出力する請求項１〜請求項４の何れか１項記載の評価方法。
【請求項６】
前記端末を介して前記評価結果に加えてコメントが入力された場合に、前記端末から前記評価結果と共に前記コメントを受信し、
前記評価結果又は前記統計処理結果を出力する際に、前記コメントを受信している場合にはコメントが有る旨を出力し、
前記コメントの出力が指示された場合にコメントを出力する請求項１〜請求項５の何れか１項記載の評価方法。
【請求項７】
選択肢についての選択要求を複数の端末の各々に送信し、
前記複数の端末の少なくとも１つから選択結果を受信し、
評価要求を前記複数の端末の各々に送信し、
前記複数の端末の少なくとも１つから評価結果を受信し、
前記選択要求に対する選択結果が共通する端末群を特定し、
特定した前記端末群から受信した評価結果又は該評価結果を統計処理した結果を出力する
ことを含む評価方法。
【請求項８】
複数の端末と通信回線を介して接続されたコンピュータに、
前記複数の端末の各々で入力された、課題に対する賛成又は反対の意思表示情報を受信し、
前記課題に対する特定の意見についての評価要求を前記複数の端末の各々に送信し、
前記複数の端末の少なくとも１つから受信した評価結果を、前記意思表示情報が示す賛成又は反対の別に応じて分類し、
分類した評価結果又は分類した評価結果についての分類毎の統計処理結果を出力する
ことを含む処理を行わせるための評価プログラム。
【請求項９】
複数の端末と通信回線を介して接続されたコンピュータに、
選択肢についての選択要求を複数の端末の各々に送信し、
前記複数の端末の少なくとも１つから選択結果を受信し、
評価要求を前記複数の端末に各々送信し、
前記複数の端末の少なくとも１つから評価結果を受信し、
前記選択要求に対する選択結果が共通する端末群を特定し、
特定した前記端末群から受信した評価結果又は該評価結果を統計処理した結果を出力する
ことを含む処理を行わせるための評価プログラム。
【請求項１０】
複数の端末の各々で入力された、課題に対する賛成又は反対の意思表示情報を受信する意志表示情報受信部と、
前記課題に対する特定の意見についての評価要求を前記複数の端末の各々に送信する評価要求送信部と、
前記複数の端末の少なくとも１つから受信した評価結果を、前記意思表示情報が示す賛成又は反対の別に応じて分類する分類部と、
前記分類部によって分類された評価結果又は該評価結果についての分類毎の統計処理結果を出力する第１出力部と、
を含む評価装置。
【請求項１１】
選択肢についての選択要求を複数の端末の各々に送信する選択要求送信部と、
前記複数の端末の少なくとも１つから選択結果を受信する選択結果受信部と、
評価要求を前記複数の端末の各々に送信する評価要求送信部と、
前記複数の端末の少なくとも１つから評価結果を受信する評価結果受信部と、
前記選択要求に対する選択結果が共通する端末群を特定する端末特定部と、
前記端末特定部によって特定された前記端末群から受信した評価結果又は該評価結果を統計処理した結果を出力する第２出力部と、
を含む評価装置。
【請求項１２】
複数の端末の各々で入力された、課題に対する賛成又は反対の意思表示情報を受信する意志表示情報受信部、前記課題に対する特定の意見についての評価要求を前記複数の端末の各々に送信する評価要求送信部、前記複数の端末の少なくとも１つから受信した評価結果を、前記意思表示情報が示す賛成又は反対の別に応じて分類する分類部、及び、前記分類部によって分類された評価結果又は該評価結果についての分類毎の統計処理結果を出力する第１出力部を含む評価装置と、
前記複数の端末と、
を含む評価システム。
【請求項１３】
選択肢についての選択要求を複数の端末の各々に送信する選択要求送信部、前記複数の端末の少なくとも１つから選択結果を受信する選択結果受信部、評価要求を前記複数の端末の各々に送信する評価要求送信部、前記複数の端末の少なくとも１つから評価結果を受信する評価結果受信部、前記選択要求に対する選択結果が共通する端末群を特定する端末特定部、及び、前記端末特定部によって特定された前記端末群から受信した評価結果又は該評価結果を統計処理した結果を出力する第２出力部を含む評価装置と、
前記複数の端末と、
を含む評価システム。
【発明の詳細な説明】
【技術分野】
【０００１】
本発明は評価方法、評価プログラム、評価装置及び評価システムに関する。
【背景技術】
【０００２】
複数の受講者に設問に解答させながら行う学習において、講師が受講者の解答状況を詳細に確認することを可能にする技術として、以下の技術が提案されている。すなわち、複数のユーザ（受講者）が各自答案用紙の解答欄に電子ペンで記入していくと、電子ペンによって記入情報が端末装置へ送信され、端末装置は、各電子ペンから送信された位置座標に関する情報を受信する。そして、各電子ペンで記入される複数の答案用紙の同じ解答欄とその記入内容を、電子ペンによる記入用紙への記入のタイミングと略同じくして表示手段に表示させ、また、表示手段に表示させる解答欄を切換えることを可能とする。
【先行技術文献】
【特許文献】
【０００３】
【特許文献１】特開２０１２−４２９６２号公報
【発明の概要】
【発明が解決しようとする課題】
【０００４】
このように、受講者によって電子ペンにより記入される記入情報を表示手段に表示させることによって、受講者に設問を回答させながら講師は受講者の解答状況を確認することができる。
【０００５】
しかしながら、複数の受講者に設問に解答させながら行う学習において、講師が受講者の解答状況を確認することでは、受講者の回答に対する他の受講者の評価を講師が把握することが十分ではない。例えば、講師が複数の受講者に選択肢について選択要求を行い、講師が選択結果を確認することでは、講師が選択結果を把握できる程度であり、或る回答に対して、選択結果が共通の受講者の評価または相違する受講者の評価を、講師が把握することができない。
【０００６】
一つの側面として、選択肢から選択される選択結果に基づく評価要求に対して複数の端末から送信された評価結果を選択肢が共通する評価結果毎に把握可能とすることが目的である。
【課題を解決するための手段】
【０００７】
１つの態様では、複数の端末の各々で入力された、課題に対する賛成又は反対の意思表示情報を受信する。また、前記課題に対する特定の意見についての評価要求を前記複数の端末の各々に送信する。また、前記複数の端末の少なくとも１つから受信した評価結果を、前記意思表示情報が示す賛成又は反対の別に応じて分類する。そして、分類した評価結果又は分類した評価結果についての分類毎の統計処理結果を出力する。
【発明の効果】
【０００８】
一つの側面として、選択肢から選択される選択結果に基づく評価要求に対して複数の端末から送信された評価結果を選択肢が共通する評価結果毎に把握可能になる、という効果を有する。
【図面の簡単な説明】
【０００９】
【図１】教育支援システムの機能ブロック図である。
【図２】教育支援システムの概略構成を示すブロック図である。
【図３】生徒ＤＢの一例を示す図表である。
【図４】課題ＤＢの一例を示す図表である。
【図５】課題回答ＤＢの一例を示す図表である。
【図６】評価コメントＤＢの一例を示す図表である。
【図７】評価ＤＢの一例を示す図表である。
【図８】意見表示・評価取得処理を示すフローチャートである。
【図９】課題選択画面の一例を示すイメージ図である。
【図１０】課題回答画面の一例を示すイメージ図である。
【図１１】意見一覧表示画面の一例を示すイメージ図である。
【図１２】意見一覧表示画面の一例を示すイメージ図である。
【図１３】意見連絡画面の一例を示すイメージ図である。
【図１４】意見連絡画面の一例を示すイメージ図である。
【図１５】評価画面表示処理を示すフローチャートである。
【図１６】評価表示選択画面の一例を示すイメージ図である。
【図１７】生徒毎評価表示画面(全体)の一例を示すイメージ図である。
【図１８】生徒毎評価表示画面(異なる意見の生徒のみ)の一例を示すイメージ図である。
【図１９】生徒毎評価表示画面(全体)の一例を示すイメージ図である。
【発明を実施するための形態】
【００１０】
以下、図面を参照して開示の技術の実施形態の一例を詳細に説明する。
【００１１】
例えば、教師と生徒とが各々端末を使用している環境において、教師が生徒全員に課題を与え、与えられた課題について生徒から意見が返送され、返送された意見をマトリクス状にスクリーンに表示して、全員で議論を行う授業形態が存在している。この授業形態において、教師は、表示された意見から任意の意見を選択し、選択した意見を返送した生徒に、意見の詳細について発表を行わせる。意見の発表は、発表者である生徒が、聞き手である他の生徒に理解してもらう力を養うことを目的としており、発表後に聞き手によって発表者の発表が評価される。
【００１２】
しかしながら、発表者に対して良い発表であったか否かという単純な評価では、評価結果を参照しても、発表者の意見が聞き手にどの程度伝わったかが判りにくい、という課題があった。具体的には、同じ意見を持つ聞き手に理解してもらうのは比較的たやすいことであるが、異なる意見を持つ聞き手にどの程度理解されたかを把握したいというニーズがあった。そこで、実施形態は、教師から生徒へ与えられる課題に対する例えば賛否及び意見について議論を行う場合に開示の技術を適用した一例を示す。
【００１３】
図１には本実施形態に係る教育支援システム１０が示されている。教育支援システム１０は、授業を行う教師によって使用される教師端末１２と、授業を受ける個々の生徒によって使用される複数の生徒端末１４を含んでいる。教師端末１２は、第１送信部１６、第１受信部１８、第２送信部２０、第２受信部２２、分類部２４及び出力部２６を含んでいる。
【００１４】
本実施形態において、教育支援システム１０を使用して行う授業では、教師から生徒全員に課題が与えられ、個々の生徒が与えられた課題について賛否及び意見を生徒端末１４を介して入力し、教師端末１２に送信した後、全員で議論が行われる。また教師は、受信した意見から任意の意見を選択し、選択した意見を送信した生徒に、意見の詳細について発表を行わせ、発表後には聞き手の生徒によって発表者の発表が評価される。
【００１５】
第１送信部１６は、与えられた課題に対して賛成又は反対を選択する要求を複数の生徒端末１４に送信する。第１受信部１８は、複数の生徒端末１４のそれぞれで入力された、課題に対する賛成又は反対の意思表示情報を受信する。第２送信部２０は、与えられた課題に対する特定の意見についての評価要求を複数の生徒端末１４に送信する。第２受信部２２は、特定の意見についての評価結果を複数の生徒端末１４から受信する。分類部２４は、複数の生徒端末１４から受信した評価結果を、意思表示情報が示す賛成又は反対の別に応じて分類する。出力部２６は、分類部２４によって分類された評価結果又は該評価結果についての分類毎の統計処理結果を出力する。
【００１６】
なお、第１受信部１８は開示の技術における意志表示情報受信部の一例であり、第２送信部２０は開示の技術における評価要求送信部の一例である。また、分類部２４は開示の技術における分類部の一例であり、出力部２６は開示の技術における第１出力部の一例である。また、第１送信部１６は開示の技術における選択要求送信部の一例であり、第１受信部１８は開示の技術における選択結果受信部の一例であり、第２送信部２０は開示の技術における評価要求送信部の一例である。また、第２受信部２２は開示の技術における評価結果受信部の一例であり、分類部２４は開示の技術における端末特定部の一例であり、出力部２６は開示の技術における第２出力部の一例である。更に、教育支援システム１０は開示の技術に係る評価システムの一例である。
【００１７】
教育支援システム１０は、図２に示すコンピュータシステム３０で実現することができる。図２に示すコンピュータシステム３０は、教師端末１２と、無線ＬＡＮ等のネットワーク３２を介して教師端末１２に接続された複数の生徒端末１４を含んでいる。
【００１８】
教師端末１２は、ＣＰＵ３４、メモリ３６、記憶部３８、入力部４０、表示部４２、媒体読み書き装置(Ｒ／Ｗ)４４、通信インタフェース(Ｉ／Ｆ)部４６を備えている。ＣＰＵ３４、メモリ３６、記憶部３８、入力部４０、表示部４２、媒体読み書き装置４４及び通信Ｉ／Ｆ部４６はバス４８を介して互いに接続されている。媒体読み書き装置４４は、記録媒体５０に書き込まれている情報の読み出し及び記録媒体５０への情報の書き込みを行う。
【００１９】
なお、教師端末１２としては、例えばＰＣ(Personal Computer)、或いはタブレット型の端末を適用できる。教師端末１２としてＰＣが適用される場合、入力部４０はキーボード及びマウスを含む。また、教師端末１２としてタブレット型の端末が適用される場合、入力部４０は、表示部４２に重畳して設けられたタッチセンサパネルを含む。
【００２０】
記憶部３８はＨＤＤ(Hard Disk Drive)やフラッシュメモリ等によって実現できる。記憶部３８には意見表示・評価取得プログラム５２及び評価画面表示プログラム６２が記憶されている。プログラム５２,６２は、プログラム５２,６２が書き込まれた記録媒体５０が媒体読み書き装置４４にセットされ、媒体読み書き装置４４が記録媒体５０からのプログラム５２,６２の読み出しを行うことで、記憶部３８へ記憶される。ＣＰＵ３４は、プログラム５２,６２を記憶部３８から読み出してメモリ３６に展開し、プログラム５２,６２が有するプロセスを順次実行する。
【００２１】
意見表示・評価取得プログラム５２は、第１送信プロセス５４、第１受信プロセス５６、第２送信プロセス５８、第２受信プロセス６０を含んでいる。ＣＰＵ３４は、第１送信プロセス５４を実行することで、第１送信部１６として機能する。またＣＰＵ３４は、第１受信プロセス５６を実行することで第１受信部１８として機能する。またＣＰＵ３４は、第２送信プロセス５８を実行することで第２送信部２０として機能する。またＣＰＵ３４は、第２受信プロセス６０を実行することで第２受信部２２として機能する。また、評価画面表示プログラム６２は、分類プロセス６４及び出力プロセス６６を含んでいる。ＣＰＵ３４は、分類プロセス６４を実行することで、分類部２４として機能する。またＣＰＵ３４は、出力プロセス６６を実行することで出力部２６として機能する。これにより、プログラム５２,６２を実行した教師端末１２が、開示の技術に係る評価装置の一例として機能する。なお、プログラム５２,６２は開示の技術に係る評価プログラムの一例である。
【００２２】
また、記憶部３８には生徒ＤＢ(データベース)６８、課題ＤＢ７０、課題回答ＤＢ７２、評価コメントＤＢ７４及び評価ＤＢ７６が記憶されている。図３に示すように、生徒ＤＢ６８は、"生徒識別子"、"生徒氏名"及び"ＩＰアドレス"の各フィールドが設けられており、各レコードには個々の生徒の情報が予め各々登録されている。なお、"ＩＰアドレス"のフィールドには個々の生徒が使用する生徒端末１４のＩＰアドレスが設定される。教師端末１２は、生徒ＤＢ６８を参照することで、個々の生徒が使用する生徒端末１４を識別する。
【００２３】
課題ＤＢ７０は、図４に示すように、"課題ＩＤ"、"課題内容"及び"回答制限時間"の各フィールドが設けられており、各レコードには、授業で与えられる課題の情報が予め各々登録されている。
【００２４】
課題回答ＤＢ７２は、図５に示すように、"生徒名"、"賛否"及び"意見内容"の各フィールドが設けられており、各レコードには、授業で与えられる課題に対する賛否及び意見内容の情報が各生徒毎に各々設定される。
【００２５】
評価コメントＤＢ７４は、図６に示すように、"意見評価"として"理解できる割合"のフィールドが設けられ、"評価"として"同じ意見に対する評価"及び"異なる意見に対する評価"の各フィールドが設けられている。各レコードには、"理解できる割合"としての異なる割合範囲と対応付けて、評価コメントが予め登録されている。例えば"理解できる割合"の範囲としての40〜60％と対応付けて、"同じ意見に対する評価"として「同じ意見を持つ生徒にはまあまあ理解されている」と、"異なる意見に対する評価"として「異なる意見を持つ生徒にはまあまあ理解されている」が登録されている。
【００２６】
評価ＤＢ７６は、聞き手の生徒によって発表者の発表が評価された結果を登録するためのＤＢである。評価ＤＢ７６には、図７に示すように、"聞き手生徒名"、"同じか異なるか"及び"コメント"の各フィールドが設けられている。また、"同じ生徒"として"理解できる"及び"理解できない"のフィールドが設けられ、"異なる生徒"として"理解できる"及び"理解できない"のフィールドが各々設けられている。各レコードには、聞き手の個々の生徒の情報が設定される。
【００２７】
"同じか異なるか"のフィールドには、課題に対する賛否が発表者と同じか異なるかを表す情報が設定される。また、聞き手の生徒の課題に対する賛否が発表者と同じで、聞き手の生徒が発表者の発表内容を理解できた場合、"同じ生徒"の"理解できる"のフィールドに情報が設定される。また、聞き手の生徒の課題に対する賛否が発表者と同じで、聞き手の生徒が発表者の発表内容を理解できない場合、"同じ生徒"の"理解できない"のフィールドに情報が設定される。また、聞き手の生徒の課題に対する賛否が発表者と異なり、聞き手の生徒が発表者の発表内容を理解できた場合、"異なる生徒"の"理解できる"のフィールドに情報が設定される。また、聞き手の生徒の課題に対する賛否が発表者と異なり、聞き手の生徒が発表者の発表内容を理解できない場合、"異なる生徒"の"理解できない"のフィールドに情報が設定される。また、聞き手の生徒がコメントを入力した場合、入力されたコメントは"コメント"のフィールドに設定される。
【００２８】
一方、生徒端末１４は、図２に示すように、ＣＰＵ８０、メモリ８２、記憶部８４、入力部８６、表示部８８及び通信インタフェース(Ｉ／Ｆ)部９０を備えている。ＣＰＵ８０、メモリ８２、記憶部８４、入力部８６、表示部８８及び通信Ｉ／Ｆ部９０はバス９２を介して互いに接続されている。生徒端末１４としてはタブレット型の端末が好適である。生徒端末１４としてタブレット型の端末が適用される場合、入力部８６は、表示部８８に重畳して設けられたタッチセンサパネルを含む。記憶部８４には生徒端末プログラム９４がインストールされている。
【００２９】
次に本実施形態の作用として、図８を参照し、意見表示・評価取得プログラム５２が起動されることで実行される意見表示・評価取得処理について説明する。なお、意見表示・評価取得処理は、生徒全員に課題を与え、個々の生徒が与えられた課題について賛否及び意見を入力して送信した後、選択した意見を送信した生徒に、意見の詳細について発表を行わせる授業が行われる際に実行される。
【００３０】
ステップ１００において、教師端末１２の第１送信部１６は、課題ＤＢ７０に登録されている情報に基づき、例として図９に示すように、生徒に与える課題を選択するための課題選択画面１５０を生成し、教師端末１２の表示部４２に表示させる。図９に示す課題選択画面１５０は、課題ＩＤ及び課題の内容を一覧表示するための表示欄１５０Ａと、表示欄１５０Ａに表示された個々の課題に対応して設けられた複数の選択欄１５０Ｂと、課題の送信を指示するためのボタン１５０Ｃと、が設けられている。
【００３１】
次のステップ１０２において、第１送信部１６は、課題ＩＤと課題送信要求を受け付けたか否か判定し、判定が肯定される迄、ステップ１０２を繰り返す。教師端末１２を操作している教師は、教師端末１２の表示部４２に課題選択画面１５０が表示されると、表示欄１５０Ａに一覧表示されている課題の中から生徒に与える課題を選択欄１５０Ｂを介して選択し、ボタン１５０Ｃを選択する操作を行う。この操作が行われると、教師によって選択された課題の課題ＩＤが受け付けられることで、ステップ１０２の判定が肯定されてステップ１０４へ移行する。
【００３２】
ステップ１０４において、第１送信部１６は、受け付けた課題ＩＤと対応付けられた課題の内容を課題ＤＢ７０から取得し、個々の生徒端末１４へ各々送信する。例えば、図９に示す課題選択画面１５０において、課題ＩＤ＝"0002"の課題が選択された場合、個々の生徒端末１４へは「瓦礫受け入れについてどう思うか？」という課題の内容が各々送信される。
【００３３】
個々の生徒端末１４では、教師端末１２から課題の内容を受信すると、例として図１０に示すような課題回答画面１５２が生徒端末１４の表示部８８に表示される。図１０に示す課題回答画面１５２は、教師端末１２から受信した課題の内容が表示される表示欄１５２Ａと、課題に対する賛否を選択するための賛否選択欄１５２Ｂと、課題に対する意見を記入するための意見記入欄１５２Ｃが設けられている。また課題回答画面１５２は、教師端末１２への情報の送信を指示するためのボタン１５２Ｄと、が設けられている。
【００３４】
生徒端末１４の表示部８８に課題回答画面１５２が表示されると、個々の生徒は、表示欄１５２Ａに表示された課題の内容を認識し、認識した課題に対する賛否及び自身の意見を考察する。そして、個々の生徒は、生徒端末１４の入力部８６を介し、課題に対する賛否を賛否選択欄１５２Ｂで選択し、課題に対する自身の意見を意見記入欄１５２Ｃに記入した後、ボタン１５２Ｄを選択する操作を行う。
【００３５】
次のステップ１０６において、教師端末１２の第１受信部１８は、受け付けた課題ＩＤに対応する回答制限時間を課題ＤＢ７０から取得する。ステップ１０８において、第１受信部１８は、課題回答画面１５２の賛否選択欄１５２Ｂを介して入力された賛否情報と、意見記入欄１５２Ｃに記入された意見の内容と、を生徒端末１４から受信したか否か判定する。ステップ１０８の判定が肯定された場合はステップ１１０へ移行し、ステップ１０８の判定が否定された場合はステップ１１２へ移行する。
【００３６】
ステップ１１０において、第１受信部１８は、生徒端末１４から受信した、課題回答画面１５２の賛否選択欄１５２Ｂを介して入力された賛否情報と、意見記入欄１５２Ｃに記入された意見の内容と、を課題回答ＤＢ７２に記録する。これにより、一例として図５に示す課題回答ＤＢ７２の１レコード目のように、"生徒名"として「田中」が、"賛否"として「賛成」が、"意見内容"として「困っているときには助けるべき」が各々記録される。ステップ１１０の処理を行うとステップ１１２へ移行する。
【００３７】
ステップ１１２において、第１受信部１８は、先のステップ１０６で取得した課題ＩＤに対応する回答制限時間が経過したか否か判定する。ステップ１１２の判定が否定された場合はステップ１０８に戻り、ステップ１１２の判定が肯定される迄、ステップ１０８〜ステップ１１２を繰り返す。回答制限時間が経過する迄の間、生徒端末１４から賛否情報及び意見の内容を受信する度にステップ１０８の判定が肯定され、ステップ１１０において、受信した賛否情報及び意見の内容が課題回答ＤＢ７２に記録される。
【００３８】
課題ＩＤに対応する回答制限時間が経過すると、ステップ１１２の判定が肯定されてステップ１１４へ移行する。ステップ１１４において、教師端末１２は、課題回答ＤＢ７２から個々の生徒の賛否情報及び意見の内容を取得する。そして、教師端末１２は、教師端末１２の表示部４２に、例として図１１に示すように、個々の生徒の賛否情報及び意見の内容をマトリクス状に表示した意見一覧表示画面１５４を表示させる。意見一覧表示画面１５４には、課題に対する賛否及び意見の内容を表示するために複数の意見表示欄１５４Ａと、全体発表の終了を通知するためのボタン１５４Ｂが設けられている。教師は、表示された意見一覧表示画面１５４を確認することで、選択した課題に対する個々の生徒の賛否及び意見の内容を把握することができる。
【００３９】
ステップ１１６において、教師端末１２は、意見選択(生徒への発表要請)を受け付けたか否か判定する。判定が否定された場合はステップ１１８へ移行し、ステップ１１８において、教師端末１２は、発表終了要求を受け付けたか否か判定する。ステップ１１８の判定も否定された場合はステップ１１６に戻り、ステップ１１６又はステップ１１８の判定が肯定される迄、ステップ１１６,１１８を繰り返す。
【００４０】
教師は、教師端末１２の表示部４２に表示された意見一覧表示画面１５４を確認し、個々の生徒の賛否及び意見の内容を把握した後に、一覧表示された意見の中から発表対象の意見を選択し、選択した意見を入力した生徒に意見の発表を要請する。また教師は、意見一覧表示画面１５４に表示された複数の意見表示欄１５４のうち、発表対象の意見が表示された意見表示欄１５４を選択する操作を行う。具体的には、ある生徒の意見が表示されている領域内を、教師端末１２のポインティングデバイス等でクリックすることにより、意見の選択が可能となる。これにより、ステップ１１６の判定が肯定されてステップ１２０へ移行する。なお、意見一覧表示画面１５４のボタン１５４Ｂを選択する操作が行われた場合は、ステップ１１８の判定が肯定されて意見表示・評価取得処理を終了する。
【００４１】
ステップ１２０において、教師端末１２は、意見一覧表示画面１５４のうち選択された生徒(教師の要請を受けて発表を行っている生徒)の意見表示欄１５４に、図１２に符号１５４Ｃを付して示すように、「発表中」の文字を表示させる。これにより、意見一覧表示画面１５４を参照することで、発表中の生徒の課題に対する賛否及び意見の内容を確認することができる。本実施形態では、「発表中」という文字を表示するのみとしているが、背景色を他の意見と異ならせる方法や、或いは意見の枠を強調表示するなどの方法を採用してもよい。
【００４２】
ステップ１２２において、教師端末１２の第２送信部２０は、課題回答ＤＢ７２に登録されている個々の生徒の課題に対する賛否に基づき、発表中の生徒と同意見か異なる意見か応じた意見連絡画面を、聞き手生徒の生徒端末１４に送信する。
【００４３】
発表中の生徒と同意見の聞き手生徒の生徒端末１４に送信する意見連絡画面１５６は、図１３に示すように、課題に対する賛否が発表者と同じであることを表す情報が表示される表示欄１５６Ａが設けられている。また、意見連絡画面１５６は、発表者の発表を聞いて理解できるか否かを選択するための選択欄１５６Ｂと、コメントを記載するためのコメント記載欄１５６Ｃ、入力した情報を教師端末１２へ送信することを指示するためのボタン１５６Ｄが設けられている。課題に対する賛否が発表中の生徒と同じである聞き手生徒の生徒端末１４には、意見連絡画面１５６が表示部８８に表示される。
【００４４】
また、発表中の生徒と異なる意見の聞き手生徒の生徒端末１４に送信する意見連絡画面１５８は、図１４に示すように、課題に対する賛否が発表者と異なることを表す情報が表示される表示欄１５８Ａが設けられている。また、意見連絡画面１５８は、発表者の発表を聞いて理解できるか否かを選択するための選択欄１５８Ｂと、コメントを記載するためのコメント記載欄１５８Ｃ、入力した情報を教師端末１２へ送信することを指示するためのボタン１５８Ｄが設けられている。課題に対する賛否が発表中の生徒と異なる聞き手生徒の生徒端末１４には、意見連絡画面１５８が表示部８８に表示される。
【００４５】
聞き手生徒は、生徒端末１４の表示部８８に意見連絡画面１５６又は意見連絡画面１５８が表示されると、選択欄１５６Ｂ又は選択欄１５８Ｂを介して、発表者の発表を聞いて発表者の意見を理解できるか否かを選択する。また、聞き手生徒は、選択欄１５６Ｂ又は選択欄１５８Ｂを介して選択した自身の見解をコメントにより補足したい場合、コメント記載欄１５６Ｃ又はコメント記載欄１５８Ｃを介してコメントを入力する。そして、聞き手生徒は、意見連絡画面１５６又は意見連絡画面１５８を介して情報を入力すると、ボタン１５６Ｄ又はボタン１５８Ｄを選択し、教師端末１２への情報の送信を指示する。
【００４６】
ステップ１２４において、第２受信部２２は、聞き手生徒の生徒端末１４から発表者の発表に対する評価を受信したか否か判定する。ステップ１２４の判定が否定された場合はステップ１２８へ移行する。ステップ１２８において、教師端末１２は、他の生徒の選択(他の生徒への発表の要請)を受け付けたか否か判定する。ステップ１２８の判定が否定された場合はステップ１３２へ移行する。ステップ１３２において、教師端末１２は、発表終了要求を受け付けたか否か判定する。ステップ１３２の判定が否定された場合はステップ１２４に戻り、ステップ１２４,１２８,１３２の何れかの判定が肯定される迄、ステップ１２４,１２８,１３２を繰り返す。
【００４７】
聞き手生徒の生徒端末１４から発表者の発表に対する評価を受信した場合には、ステップ１２４の判定が肯定されてステップ１２６へ移行する。ステップ１２６において、第２受信部２２は、受信した評価を評価ＤＢ７６に記録する。例えば、発表中の生徒と同意見の聞き手生徒である「山田」の生徒端末１４から、発表者の意見を「理解できる」という評価を受信した場合、図７に示す評価ＤＢ７６の１レコード目のように、"同じ生徒"の"理解できる"のフィールドに"１"が記録される。また、発表中の生徒と異なる意見の聞き手生徒である「本田」の生徒端末１４から、発表者の意見を「理解できない」という評価を受信した場合、図７に示す評価ＤＢ７６の５レコード目のように、"異なる生徒"の"理解できない"のフィールドに"１"が記録される。また、聞き手生徒「本田」はコメントも入力しているので、"コメント"のフィールドにコメントの内容が記録される。ステップ１２６の処理を行うとステップ１２８へ移行する。
【００４８】
また、他の生徒の選択(他の生徒への発表の要請)を受け付けた場合には、ステップ１２８の判定が肯定されてステップ１３０へ移行する。ステップ１３０において、教師端末１２は、意見一覧表示画面１５４のうち、発表していた生徒に対応する意見表示欄１５４の「発表中」の文字の表示を消去する。ステップ１３０の処理を行うとステップ１２０に戻る。また、発表終了要求を受け付けた場合には、ステップ１３２の判定が肯定されて意見表示・評価取得処理を終了する。
【００４９】
次に図１５を参照し、評価画面表示処理について説明する。ステップ２００において、教師端末１２の分類部２４は、評価ＤＢ７６に登録されている情報のうち、特定の発表者(例えば最初に発表を行った発表者)に対応する情報を評価ＤＢ７６から取得する。ステップ２０２において、分類部２４は、課題に対する賛否が特定の発表者と同じで、かつ特定の発表者の発表を「理解できる」と評価した聞き手生徒の数と割合を演算する。また、課題に対する賛否が特定の発表者と同じである聞き手生徒の総数を計数し、計数した総数を全体評価数に設定する。ステップ２０４において、分類部２４は、課題に対する賛否が特定の発表者と同じである聞き手生徒からのコメントを評価ＤＢ７６から取得する。
【００５０】
ステップ２０６において、分類部２４は、評価ＤＢ７６から、課題に対する賛否が特定の発表者と異なり、かつ特定の発表者の発表を「理解できる」と評価した聞き手生徒の数と割合を演算する。また、課題に対する賛否が特定の発表者と異なっている聞き手生徒の総数を計数し、計数した総数を全体評価数に加算する。次のステップ２０８において、分類部２４は、課題に対する賛否が特定の発表者と異なっている聞き手生徒からのコメントを評価ＤＢ７６から取得する。
【００５１】
ステップ２１０において、分類部２４は、次の発表者が存在しているか否か判定する。ステップ２１０の判定が肯定された場合はステップ２００に戻り、ステップ２１０の判定が否定される迄ステップ２００〜ステップ２１０を繰り返す。これにより、発表を行った全ての発表者について、ステップ２００〜ステップ２０８の処理が各々行われる。
【００５２】
ステップ２１０の判定が否定されるとステップ２１２へ移行する。ステップ２１２において、分類部２４は、教師端末１２の表示部４２に、例として図１６に示すような評価表示選択画面１６０を表示し、発表者の発表に対する評価の表示方法が選択されたか否か判定する。ステップ２１２の判定が否定された場合は、ステップ２１２の判定が肯定される迄、ステップ２１２を繰り返す。
【００５３】
評価表示選択画面１６０には、発表者の発表に対する評価表示方法の選択肢としての複数のボタン１６０Ａ〜１６０Ｃと、選択肢の選択が完了したことを通知するためのボタン１６０Ｄが設けられている。ボタン１６０Ａには「同じ意見の生徒評価と、異なる意見の生徒評価とを合わせて表示」と表記され、ボタン１６０Ｂには「同じ意見の生徒評価のみを表示」と表記され、ボタン１６０Ｃには「異なる意見の生徒評価のみを表示」と表記されている。
【００５４】
教師端末１２の表示部４２に評価表示選択画面１６０が表示されると、教師は、複数のボタン１６０Ａ〜１６０Ｃの中から、発表者の発表に対する所望の評価表示方法に対応するボタンを選択した後に、ボタン１６０Ｄを選択する操作を行う。この操作が行われることで、ステップ２１２の判定が肯定されてステップ２１４へ移行する。
【００５５】
ステップ２１４において、分類部２４は、先のステップ２００〜２０８で発表者毎に演算又は取得した情報に基づいて、評価表示選択画面１６０を介して選択された評価表示に応じた生徒毎評価表示画面を作成する。
【００５６】
次のステップ２１６において、教師端末１２の出力部２６は、ステップ２１４で作成した生徒毎評価表示画面を教師端末１２の表示部４２に表示させる。これにより、教師は、表示部４２に表示された生徒毎評価表示画面を参照することで、個々の発表者の発表に対する評価結果を課題に対する賛否毎に把握することが可能となる。例として図１７には、評価表示選択画面１６０のボタン１６０Ａが選択された場合に作成される生徒毎評価表示画面１６２を示し、図１８には、評価表示選択画面１６０のボタン１６０Ｃが選択された場合に作成される生徒毎評価表示画面１６４を示す。
【００５７】
生徒毎評価表示画面１６２は、発表者毎の評価として、全体評価数と、課題に対する賛否が発表者と同じである聞き手生徒(同じ意見を持つ生徒)の評価と、課題に対する賛否が発表者と異なっている聞き手生徒(異なる見を持つ生徒)の評価と、全体評価と、を含む。生徒毎評価表示画面１６２は、同じ意見を持つ生徒の評価として、発表を「理解できる」と評価した生徒の数・割合と、発表を「理解できない」と評価した生徒の数・割合と、同じ意見を持つ生徒に関する評価コメントとを含む。評価コメントは評価コメントＤＢ７４から取得される。また、生徒毎評価表示画面１６２は、異なる意見を持つ生徒の評価として、発表を「理解できる」と評価した生徒の数・割合と、発表を「理解できない」と評価した生徒の数・割合と、異なる意見を持つ生徒に関する評価コメントとを含む。
【００５８】
なお、生徒毎評価表示画面１６４は、生徒毎評価表示画面１６２と比較して、同じ意見を持つ生徒の評価が省略されている点が相違している。また、生徒毎評価表示画面１６２,１６４は、生徒の数・割合の表示欄のうち、対応するコメントが存在している表示欄に、「コメント有」と表記され、コメントの表示を指示するためのボタン１６６が設けられている。また、生徒毎評価表示画面１６２,１６４は、「閉じる」と表記され、生徒毎評価表示画面１６２,１６４の表示終了を指示するためのボタン１６８が設けられている。
【００５９】
次のステップ２１８において、出力部２６は、生徒毎評価表示画面のうち、コメントの表示を指示するためのボタン１６６が選択されたか否か判定する。ステップ２１８の判定が否定された場合はステップ２２２へ移行し、ステップ２２２において、出力部２６は、「閉じる」と表記されたボタン１６８が選択されたか否か判定する。ステップ２２２の判定が否定された場合はステップ２１８に戻り、ステップ２１８又はステップ２２２の判定が肯定される迄、ステップ２１８,２２２を繰り返す。
【００６０】
生徒毎評価表示画面のうち、コメントの表示を指示するためのボタン１６６が選択された場合には、ステップ２１８の判定が肯定されてステップ２２０へ移行する。ステップ２２０において、出力部２６は、選択されたボタンに対応するコメントを評価ＤＢ７６から取得し、例として図１９に示すように、取得したコメントを明示した吹き出し１７０を表示する。これにより、教師は、聞き手生徒が入力したコメントを確認することができる。また、「閉じる」と表記されたボタン１６８が選択された場合には、ステップ２２２の判定が肯定されて評価画面表示処理を終了する。
【００６１】
このように、本実施形態では、複数の生徒端末１４のそれぞれで入力された、課題に対する賛成又は反対の意思表示情報を受信し、課題に対する特定の意見についての評価要求を複数の生徒端末１４に送信する。また、複数の生徒端末１４から受信した評価結果を、意思表示情報が示す賛成又は反対の別に応じて分類し、分類した評価結果についての分類毎の統計処理結果を出力する。これにより、課題に対する特定の意見についての評価結果を、課題に対する賛否毎に把握することが可能となり、発表者の発表が聞き手に理解されたかを把握することが可能となる。
【００６２】
また、本実施形態では、課題に対する特定の意見について発表が行われ、特定の意見についての発表に対する評価要求を複数の生徒端末１４に送信し、特定の意見についての発表に対する評価結果を複数の生徒端末１４から受信する。これにより、特定の意見についての発表に対する評価結果を課題に対する賛否毎に把握することが可能となる。
【００６３】
また、本実施形態では、評価結果として、特定の意見について、聞き手が理解できる、又は、聞き手が理解できない、が選択され、分類した評価結果についての分類毎の統計処理結果として、理解された割合及び理解されなかった割合を分類毎に演算して出力する。これにより、特定の意見に対する全体的な評価結果を課題に対する賛否毎に直感的に把握することが可能となる。
【００６４】
また、本実施形態では、評価結果又は統計処理結果として、意思表示情報が賛成を示す結果のみを出力するか、意志表示情報が反対を示す結果のみを出力するか、意思表示情報が賛成を示す結果と意思表示情報が反対を示す結果を各々出力するかが選択される。そして、選択の結果に応じて、意思表示情報が賛成を示す結果のみを出力するか、又は、意志表示情報が反対を示す結果のみを出力するか、又は、意思表示情報が賛成を示す結果と前記意思表示情報が反対を示す結果とを各々出力する。これにより、特定の意見に対する評価結果を課題に対する賛否毎に確認するか、課題に対する賛否を共に確認するかを選択することが可能となる。
【００６５】
また、本実施形態では、生徒端末１４を介して評価結果に加えてコメントが入力された場合に、生徒端末１４から評価結果と共にコメントを受信し、評価結果又は統計処理結果を出力する際に、コメントを受信している場合にはコメントが有る旨を出力する。そして、コメントの出力が指示された場合にコメントを出力する。これにより、評価結果では表現しきれない事項をコメントとして伝達することが可能となる。
【００６６】
また、本実施形態では、教師端末１２から送信された課題に対しての選択(回答)要求を複数の生徒端末１４に送信し、複数の生徒端末１４から選択(回答)結果を受信し、評価要求を複数の生徒端末１４に送信し、複数の生徒端末１４から評価結果を受信している。そして、選択要求に対する選択結果が共通する生徒端末１４の群を特定し、特定した生徒端末１４の群から受信した評価結果又は該評価結果を統計処理した結果を出力する。これにより、選択要求に対する選択結果が共通する生徒端末１４の群毎に、生徒端末１４から受信した評価結果を把握することが可能となる。
【００６７】
なお、上記では複数の生徒端末１４から受信した評価結果を、意思表示情報が示す賛成又は反対の別に応じて分類し、分類した評価結果についての分類毎の統計処理結果として、理解された割合及び理解されなかった割合を分類毎に演算し数値として出力する。但し、これに限定されるものではなく、理解された割合及び理解されなかった割合を円グラフ等の他の形態で出力するようにしてもよい。
【００６８】
また、上記では分類した評価結果についての分類毎の統計処理結果として、理解された割合及び理解されなかった割合を分類毎に演算して出力する。但し、これに限定されるものではなく、複数の生徒端末１４から受信した評価結果を意思表示情報が示す賛成又は反対の別に応じて分類した評価結果を、統計処理を行うことなくそのまま出力するようにしてもよい。
【００６９】
なお、上記では教師端末１２を評価装置の一例として機能させる態様を説明したが、教師端末１２と別にサーバを設け、当該サーバを評価装置として機能させることも可能である。
【００７０】
また、上記では生徒毎評価表示画面１６２,１６４を教師端末１２の表示部４２に表示させる態様を説明したが、表示内容を生徒からも視認できる大型のスクリーンを設け、当該スクリーンに生徒毎評価表示画面１６２,１６４を表示させるようにしてもよい。
【００７１】
また、上記では開示の技術に係る評価プログラムの一例であるプログラム５２,６２が記憶部３８に予め記憶（インストール）されている態様を説明したが、これに限定されるものではない。開示の技術に係る評価プログラムは、ＣＤ−ＲＯＭやＤＶＤ−ＲＯＭ等の記録媒体に記録されている形態で提供することも可能である。
【００７２】
本明細書に記載された全ての文献、特許出願及び技術規格は、個々の文献、特許出願及び技術規格が参照により取り込まれることが具体的かつ個々に記された場合と同程度に、本明細書中に参照により取り込まれる。
【００７３】
以上の実施形態に関し、更に以下の付記を開示する。
【００７４】
（付記１）
複数の端末の各々で入力された、課題に対する賛成又は反対の意思表示情報を受信し、
前記課題に対する特定の意見についての評価要求を前記複数の端末の各々に送信し、
前記複数の端末の少なくとも１つから受信した評価結果を、前記意思表示情報が示す賛成又は反対の別に応じて分類し、
分類した評価結果又は分類した評価結果についての分類毎の統計処理結果を出力する
ことを含む評価方法。
【００７５】
（付記２）
前記特定の意見は、前記複数の端末の何れかにおいて入力された意見情報に含まれる付記１記載の評価方法。
【００７６】
（付記３）
前記課題に対する特定の意見について発表が行われ、
前記特定の意見についての発表に対する評価要求を前記複数の端末の各々に送信し、
前記特定の意見についての発表に対する評価結果を前記複数の端末の少なくとも１つから受信する付記１又は付記２記載の評価方法。
【００７７】
（付記４）
前記評価結果として、前記特定の意見について、理解できる、又は、理解できない、が選択され、
前記分類した評価結果についての分類毎の統計処理結果として、理解された割合及び理解されなかった割合を分類毎に演算して出力する付記１〜付記３の何れか１項記載の評価方法。
【００７８】
（付記５）
前記評価結果又は前記統計処理結果として、前記意思表示情報が賛成を示す結果のみを出力するか、前記意志表示情報が反対を示す結果のみを出力するか、前記意思表示情報が賛成を示す結果と前記意思表示情報が反対を示す結果を各々出力するかが選択され、
前記選択の結果に応じて、前記意思表示情報が賛成を示す結果のみを出力するか、又は、前記意志表示情報が反対を示す結果のみを出力するか、又は、前記意思表示情報が賛成を示す結果と前記意思表示情報が反対を示す結果を各々出力する付記１〜付記４の何れか１項記載の評価方法。
【００７９】
（付記６）
前記端末を介して前記評価結果に加えてコメントが入力された場合に、前記端末から前記評価結果と共に前記コメントを受信し、
前記評価結果又は前記統計処理結果を出力する際に、前記コメントを受信している場合にはコメントが有る旨を出力し、
前記コメントの出力が指示された場合にコメントを出力する付記１〜付記５の何れか１項記載の評価方法。
【００８０】
（付記７）
選択肢についての選択要求を複数の端末の各々に送信し、
前記複数の端末の少なくとも１つから選択結果を受信し、
評価要求を前記複数の端末の各々に送信し、
前記複数の端末の少なくとも１つから評価結果を受信し、
前記選択要求に対する選択結果が共通する端末群を特定し、
特定した前記端末群から受信した評価結果又は該評価結果を統計処理した結果を出力する
ことを含む評価方法。
【００８１】
（付記８）
複数の端末と通信回線を介して接続されたコンピュータに、
前記複数の端末の各々で入力された、課題に対する賛成又は反対の意思表示情報を受信し、
前記課題に対する特定の意見についての評価要求を前記複数の端末の各々に送信し、
前記複数の端末の少なくとも１つから受信した評価結果を、前記意思表示情報が示す賛成又は反対の別に応じて分類し、
分類した評価結果又は分類した評価結果についての分類毎の統計処理結果を出力する
ことを含む処理を行わせるための評価プログラム。
【００８２】
（付記９）
前記特定の意見は、前記複数の端末の何れかにおいて入力された意見情報に含まれる付記８記載の評価プログラム。
【００８３】
（付記１０）
前記課題に対する特定の意見について発表が行われ、
前記特定の意見についての発表に対する評価要求を前記複数の端末の各々に送信し、
前記特定の意見についての発表に対する評価結果を前記複数の端末の少なくとも１つから受信する付記８又は付記９記載の評価プログラム。
【００８４】
（付記１１）
前記評価結果として、前記特定の意見について、理解できる、又は、理解できない、が選択され、
前記分類した評価結果についての分類毎の統計処理結果として、理解された割合及び理解されなかった割合を分類毎に演算して出力する付記８〜付記１０の何れか１項記載の評価プログラム。
【００８５】
（付記１２）
前記評価結果又は前記統計処理結果として、前記意思表示情報が賛成を示す結果のみを出力するか、前記意志表示情報が反対を示す結果のみを出力するか、前記意思表示情報が賛成を示す結果と前記意思表示情報が反対を示す結果を各々出力するかが選択され、
前記選択の結果に応じて、前記意思表示情報が賛成を示す結果のみを出力するか、又は、前記意志表示情報が反対を示す結果のみを出力するか、又は、前記意思表示情報が賛成を示す結果と前記意思表示情報が反対を示す結果を各々出力する付記８〜付記１１の何れか１項記載の評価プログラム。
【００８６】
（付記１３）
前記端末を介して前記評価結果に加えてコメントが入力された場合に、前記端末から前記評価結果と共に前記コメントを受信し、
前記評価結果又は前記統計処理結果を出力する際に、前記コメントを受信している場合にはコメントが有る旨を出力し、
前記コメントの出力が指示された場合にコメントを出力する付記８〜付記１２の何れか１項記載の評価プログラム。
【００８７】
（付記１４）
複数の端末と通信回線を介して接続されたコンピュータに、
選択肢についての選択要求を複数の端末の各々に送信し、
前記複数の端末の少なくとも１つから選択結果を受信し、
評価要求を前記複数の端末の各々に送信し、
前記複数の端末の少なくとも１つから評価結果を受信し、
前記選択要求に対する選択結果が共通する端末群を特定し、
特定した前記端末群から受信した評価結果又は該評価結果を統計処理した結果を出力する
ことを含む処理を行わせるための評価プログラム。
【００８８】
（付記１５）
複数の端末の各々で入力された、課題に対する賛成又は反対の意思表示情報を受信する意志表示情報受信部と、
前記課題に対する特定の意見についての評価要求を前記複数の端末の各々に送信する評価要求送信部と、
前記複数の端末の各々から受信した評価結果を、前記意思表示情報が示す賛成又は反対の別に応じて分類する分類部と、
前記分類部によって分類された評価結果又は該評価結果についての分類毎の統計処理結果を出力する第１出力部と、
を含む評価装置。
【００８９】
（付記１６）
選択肢についての選択要求を複数の端末の各々に送信する選択要求送信部と、
前記複数の端末の少なくとも１つから選択結果を受信する選択結果受信部と、
評価要求を前記複数の端末の各々に送信する評価要求送信部と、
前記複数の端末の少なくとも１つから評価結果を受信する評価結果受信部と、
前記選択要求に対する選択結果が共通する端末群を特定する端末特定部と、
前記端末特定部によって特定された前記端末群から受信した評価結果又は該評価結果を統計処理した結果を出力する第２出力部と、
を含む評価装置。
【００９０】
（付記１７）
複数の端末の各々で入力された、課題に対する賛成又は反対の意思表示情報を受信する意志表示情報受信部、前記課題に対する特定の意見についての評価要求を前記複数の端末の各々に送信する評価要求送信部、前記複数の端末の少なくとも１つから受信した評価結果を、前記意思表示情報が示す賛成又は反対の別に応じて分類する分類部、及び、前記分類部によって分類された評価結果又は該評価結果についての分類毎の統計処理結果を出力する第１出力部を含む評価装置と、
前記複数の端末と、
を含む評価システム。
【００９１】
（付記１８）
選択肢についての選択要求を複数の端末の各々に送信する選択要求送信部、前記複数の端末の少なくとも１つから選択結果を受信する選択結果受信部、評価要求を前記複数の端末の各々に送信する評価要求送信部、前記複数の端末の少なくとも１つから評価結果を受信する評価結果受信部、前記選択要求に対する選択結果が共通する端末群を特定する端末特定部、及び、前記端末特定部によって特定された前記端末群から受信した評価結果又は該評価結果を統計処理した結果を出力する第２出力部を含む評価装置と、
前記複数の端末と、
を含む評価システム。
【符号の説明】
【００９２】
１０  教育支援システム
１２  教師端末
１４  生徒端末
１６  第１送信部
１８  第１受信部
２０  第２送信部
２２  第２受信部
２４  分類部
２６  出力部
３４  ＣＰＵ
３６  メモリ
３８  記憶部
５０  記録媒体
５２  意見表示・評価取得プログラム
６２  評価画面表示プログラム
７６  評価ＤＢ
１６０  評価表示選択画面
１６２  生徒毎評価表示画面
１６４  生徒毎評価表示画面
【図１】
2015099197.tif 000003
【図２】
2015099197.tif 000004
【図３】
2015099197.tif 000005
【図４】
2015099197.tif 000006
【図５】
2015099197.tif 000007
【図６】
2015099197.tif 000008
【図７】
2015099197.tif 000009
【図８】
2015099197.tif 000010
【図９】
2015099197.tif 000011
【図１０】
2015099197.tif 000012
【図１１】
2015099197.tif 000013
【図１２】
2015099197.tif 000014
【図１３】
2015099197.tif 000015
【図１４】
2015099197.tif 000016
【図１５】
2015099197.tif 000017
【図１６】
2015099197.tif 000018
【図１７】
2015099197.tif 000019
【図１８】
2015099197.tif 000020
【図１９】
2015099197.tif 000021